(57)【要約】【課題】コスト増を抑えつつ、水位調整を容易かつ確実に行う。【解決手段】地下水位調整水閘４０は、地中に埋設された暗渠管１３に接続される導入口４４及び排水管１４に接続される排水口４５を底部に備え、底部から上方に向けて延びる外筒４１と、外筒４１内に設けられ、下端が排水口４５に接続され、上下方向に複数の貫通孔４６が形成された内筒４２と、内筒４２の外周面に装着され、内筒４２に対する上下方向の装着位置に応じて複数の貫通孔４６を閉塞可能な閉塞カバー４３と、を備える。閉塞カバー４３は、内筒４２の外周面に対し、内筒４２の径方向に弾性変形可能であり、内筒４２の外周面に密着して貫通孔４６を閉塞する状態と、内筒４２の外周面から径方向外周側に弾性変形し、内筒４２に沿って上下方向にスライド移動可能な状態との間で切り替え可能とされる。【選択図】図１
2015196954.tif 000002
【特許請求の範囲】
【請求項１】
地中に埋設された暗渠管に接続される導入口および排水管に接続される排水口を底部に備え、該底部から上方に向けて延びる外筒と、
前記外筒内に設けられるとともに下端が前記排水口に接続され、上下方向に複数の貫通孔が形成された内筒と、
前記内筒の外周面に装着され、前記内筒に対する上下方向の装着位置に応じて複数の前記貫通孔を閉塞可能な閉塞カバーと、を備え、
前記閉塞カバーは、前記内筒の外周面に対して前記内筒の径方向に弾性変形可能に装着され、
前記内筒の外周面に密着して前記貫通孔を閉塞する状態と、前記内筒の外周面から径方向外周側に弾性変形し、前記内筒に沿って上下方向にスライド移動可能な状態と、の間で変形可能とされていることを特徴とする地下水位調整水閘。
【請求項２】
前記閉塞カバーは、周方向の一部が切り欠かれた断面Ｃ字状の筒状をなしていることを特徴とする請求項１に記載の地下水位調整水閘。
【請求項３】
前記閉塞カバーの外周部に設けられ、前記閉塞カバーの径方向外周側への変形を拘束する拘束部材を備えていることを特徴とする請求項１又は２に記載の地下水位調整水閘。
【請求項４】
前記内筒は、前記排水口に対して着脱可能に接続されていることを特徴とする請求項１乃至３のいずれか１項に記載の地下水位調整水閘。
【請求項５】
前記内筒の上端部の外周面に開口部が形成され、
前記外筒の内周面に、前記開口部に挿通させることで前記内筒を前記排水口から取り外した状態で係止する係止部が設けられていることを特徴とする請求項４に記載の地下水位調整水閘。
【発明の詳細な説明】
【技術分野】
【０００１】
本発明は、畑等において地下水位を調整するための地下水位調整水閘に関する。
【背景技術】
【０００２】
畑作や稲作における作物への水分供給に、地下灌漑システムを用いることが行われている。地下灌漑システムは、用水路から用水マスを経て導入した水を、地中に埋設した暗渠管に通し、暗渠管から地中にしみ出る水によって、地中への水分供給を行っている。暗渠管の下流側には排水管が接続され、排水管は排水路に排水できるようになっている。また、排水管には、地下灌漑システムの開閉弁として水閘が設けられている。
【０００３】
ところで、畑作では、作物の種類に応じて、生育に適した地下水位が異なる。そこで、暗渠管の下流側に、地下水位を調整できる水閘が設けられている。
【０００４】
特許文献１には、地下水位調整水閘として、複数の水位調整孔が形成された円筒状の弁棒と、弁棒の外周部に設けられた水位調整カラーと、を備えた構成が開示されている。この構成では、水位調整カラーを上下動させることで露出させる水位調整孔を変え、地下水を調整する。
【０００５】
特許文献２には、上下方向で異なる高さ位置に複数の排水孔が形成された円筒状の止水筒と、止水筒の外周面に対して摺動回転可能な円筒状で、止水筒に対する回転位置に応じて異なる位置の排水孔を開放するスリットを有する回転筒と、を備える構成が開示されている。この構成では、回転筒を止水筒に対して回転させることで、スリットから露出させる排水孔を選択し、地下水位を調整する。
【先行技術文献】
【特許文献】
【０００６】
【特許文献１】特許第４７４５１０３号公報
【特許文献２】特開２０１２−１３２２５２号公報
【発明の概要】
【発明が解決しようとする課題】
【０００７】
しかしながら、特許文献１に開示された構成においては、水位調整カラーを弁棒に対して所望の高さに維持するには、弁棒の外周面と水位調整カラーの内周面との摩擦力を用いている。
このため、水位調整カラーの位置ズレを防ぐには、弁棒と水位調整カラーとの間の摩擦力を高める必要がある。しかし、摩擦力を高めると、水位調整カラーの位置を調整するのが困難になる。
一方、水位調整カラーの位置調整を容易に行うため、水位調整カラーと弁棒との間の摩擦力を小さく、つまり水位調整カラーと弁棒とのクリアランスを大きくすると、水位調整カラーの位置ズレが生じたり、水位調整カラーと弁棒とのクリアランスから水が漏出してしまう。
【０００８】
これに対し、特許文献２に開示された構成では、止水筒に対して回転筒を回転させるため、より小さな力で回転筒を回転させて、水位調整を容易に行える。そして、回転筒は上下動ではなく回転動作を行うので、自重による位置ズレは生じない。
しかし、特許文献２に開示された構成では、止水筒と回転筒、さらに回転筒を回転させるためのハンドル等も必要となり、部品点数が増えてコスト増に繋がるという問題があった。
【０００９】
本発明は、上述する問題点に鑑みてなされたもので、コスト増を抑えつつ、水位調整を容易かつ確実に行うことができる地下水位調整水閘を提供することを目的とする。
【課題を解決するための手段】
【００１０】
本発明は、上記課題を解決するため、以下の手段を採用する。
本発明に係る地下水位調整水閘は、地中に埋設された暗渠管に接続される導入口および排水管に接続される排水口を底部に備え、該底部から上方に向けて延びる外筒と、前記外筒内に設けられるとともに下端が前記排水口に接続され、上下方向に複数の貫通孔が形成された内筒と、前記内筒の外周面に装着され、前記内筒に対する上下方向の装着位置に応じて複数の前記貫通孔を閉塞可能な閉塞カバーと、を備え、前記閉塞カバーは、前記内筒の外周面に対して前記内筒の径方向に弾性変形可能に装着され、前記内筒の外周面に密着して前記貫通孔を閉塞する状態と、前記内筒の外周面から径方向外周側に弾性変形し、前記内筒に沿って上下方向にスライド移動可能な状態と、の間で変形可能とされていることを特徴とする。
【００１１】
このような構成によれば、内筒に対する閉塞カバーの位置を上下方向に変更することで、複数の貫通孔を適宜閉塞することができ、地下水位を調整することができる。そして、閉塞カバーを上下方向に移動させるときには、閉塞カバーを弾性変形させて内筒の径方向外方に広げることによって、閉塞カバーを容易にスライド移動させることができる。そして、閉塞カバーの移動後は、弾性により径方向内方に変形して元の形状に戻ることで、閉塞カバーは外周面に密着する。
このような構成は、閉塞カバーを径方向に弾性変形可能とすればよいので、簡易な構成で実現することができる。
【００１２】
また、本発明に係る地下水位調整水閘において、前記閉塞カバーは、周方向の一部が切り欠かれた断面Ｃ字状の筒状をなしているようにしてもよい。
【００１３】
このように構成することで、閉塞カバーは、切り欠かれた部分を広げることで、簡易な構成により、内筒の径方向に弾性変形可能とすることができる。
【００１４】
また、本発明に係る地下水位調整水閘は、前記閉塞カバーの外周部に設けられ、前記閉塞カバーの径方向外周側への変形を拘束する拘束部材を備えるようにしてもよい。
【００１５】
このように構成することで、閉塞カバーが内筒の外周面に密着して貫通孔を閉塞する状態に確実に維持することができる。
【００１６】
また、本発明に係る地下水位調整水閘において、前記内筒は、前記排水口に対して着脱可能に接続されるようにしてもよい。
【００１７】
このように構成することで、暗渠管から流れ込む水を排水口にそのまま流すことができ、暗渠管のフラッシングを行うことができる。
【００１８】
また、本発明に係る地下水位調整水閘は、前記内筒の上端部の外周面に開口部が形成され、前記外筒の内周面に、前記開口部に挿通させることで前記内筒を前記排水口から取り外した状態で係止する係止部が設けられているようにしてもよい。
【００１９】
このように構成することで、排水口から取り外した内筒の開口部を係止部に係止させることで、内筒を外筒内に収容したままフラッシングを行うことができる。
【発明の効果】
【００２０】
本発明に係る地下水位調整水閘によれば、簡易な構成により、閉塞カバーの移動を容易に行いつつ、移動後の閉塞カバーの位置を確実に固定できるので、コスト増を抑えつつ、水位調整を容易かつ確実に行うことが可能となる。
【図面の簡単な説明】
【００２１】
【図１】本発明の一実施形態に係る地下水位調整水閘を用いた地下灌漑システムの全体構成を示す模式図であり、畑作を行う場合の構成を示す断面図である。
【図２】地下水位調整水閘に備えられた内筒および閉塞カバーを示す図であり、（ａ）は正面図、（ｂ）は側面図である。
【図３】内筒を外筒の排水口から引き抜いて、係止部に係止させた状態を示す図である。
【図４】本実施形態の地下灌漑システムで稲作を行う場合の構成を示す断面図である。
【図５】上記地下水位調整水閘の変形例の構成を示す図であり、（ａ）は貫通孔を永孔とした内筒を示す正面図、（ｂ）は（ａ）の側面図、（ｃ）は（ａ）の背面図である。
【図６】上記地下水位調整水閘の他の変形例の構成を示す図であり、（ａ）は、回転式の閉塞カバーを設けた内筒を示す正面図、（ｂ）は（ａ）の側面図である。
【図７】図６の要部を示す斜視図である。
【図８】上記地下水位調整水閘のさらに他の変形例の構成を示す図であり、ゴム製の閉塞カバーを設けた内筒を備える地下水位調整水閘の一部断面図である。
【図９】ゴム製の閉塞カバーの下端部の拡大断面図である。
【図１０】畑作専用の用水マスを示す図であり、（ａ）は平面図、（ｂ）は断面図である。
【発明を実施するための形態】
【００２２】
以下、添付図面を参照して、本発明による地下水位調整水閘を実施するための形態を説明する。しかし、本発明はこの実施形態のみに限定されるものではない。
【００２３】
図１は、本発明の一実施形態に係る地下水位調整水閘を用いた地下灌漑システムの全体構成を示す模式図である。図２は、地下水位調整水閘に備えられた内筒および閉塞カバーを示す図であり、（ａ）は正面図、（ｂ）は側面図である。図３は、内筒を外筒の排水口から引き抜いて、係止部に係止させた状態を示す図である。図４は、本実施形態の地下灌漑システムで稲作を行う場合の構成を示す断面図である
【００２４】
図１に示すように、地下灌漑システム１０は、用水路（外部）１に接続された用水マス２０と、用水マス２０に接続されて下方に延びる給水管１２と、給水管１２に接続され、所定の水勾配で地中に埋設された暗渠管１３と、暗渠管１３の下流側に接続された地下水位調整水閘４０と、地下水位調整水閘４０と排水路２との間に接続された排水管１４と、を備えている。
【００２５】
用水マス２０は、マス本体２１と、ストレーナー２５と、蓋体２８と、を備えている。
マス本体２１は、上方に形成された開口部２１ａと、側面に形成された吸水口２２および側部排水口２４と、底面に形成された底部排水口２３と、を有している。
【００２６】
吸水口２２には、取水管１１が接続され、用水路１からマス本体２１内に水が取り込まれる。この吸水口２２は、複数設けられていてもよい。
【００２７】
側部排水口２４は、水田に水を供給する水供給管１５（図４参照）が接続可能とされる。この側部排水口２４は、着脱可能な止水栓２６により閉塞可能となっている。止水栓２６は、飛散や盗難防止のため、不図示のチェーンやワイヤ等によりマス本体２１に接続しておくのが好ましい。
【００２８】
底部排水口２３には、下方に延びる給水管１２が接続される。この底部排水口２３に、ストレーナー２５が装着される。
ストレーナー２５は、筒状で、両端部にそれぞれ底部排水口２３に挿入可能な挿入部２５ａ，２５ｂを有している。挿入部２５ａ，２５ｂは、先端に向かうにしたがいその外径が漸次縮小するテーパ状とされている。これにより、挿入部２５ａ，２５ｂを底部排水口２３に挿入すると、挿入部２５ａ，２５ｂと底部排水口２３とが密着し、止水性が保たれるようになっている。
ストレーナー２５において、挿入部２５ａ，２５ｂの間の中間部には、ストレーナー２５の内外を貫通する複数の流入孔２５ｃが形成されている。これら流入孔２５ｃを通して、マス本体２１内からストレーナー２５内に水が流入する。
【００２９】
このようなストレーナー２５において、一方の挿入部２５ｂは閉塞板２７により閉塞された閉塞端とされ、他方の挿入部２５ａは開放された開放端とされている。
このストレーナー２５は、開放端側の挿入部２５ａを底部排水口２３に挿入した場合、吸水口２２を通して用水路１からマス本体２１に取り込まれた水は、流入孔２５ｃを通してストレーナー２５内に流入し、開放端側の挿入部２５ａを通って底部排水口２３から送り出される。
また、ストレーナー２５における閉塞端側の挿入部２５ｂを底部排水口２３に挿入した場合、底部排水口２３が閉塞板２７により閉塞される。すると、底部排水口２３からの排水が遮断される。
【００３０】
給水管１２は、用水マス２０の底部排水口２３から送り出された水が流れ込む。この給水管１２には、所定の水勾配で地中に埋設された暗渠管１３が接続されている。
暗渠管１３には、不図示の貫通孔が多数形成されており、給水管１２から流れ込んだ水が地中に染み出すようになっている。
【００３１】
地下水位調整水閘４０は、暗渠管１３の下流側に接続されている。
地下水位調整水閘４０は、外筒４１と、外筒４１内に設けられた内筒４２と、内筒４２の外周面４２ｆに装着された閉塞カバー４３と、を備えている。
【００３２】
外筒４１は、円筒状で、上下方向に延び、その上端部が地表よりも上方に突出し、残りの部分が地中に埋設されて設けられている。外筒４１は、その底部に、暗渠管１３に接続される導入口４４と、排水管１４に接続される排水口４５とが形成されている。
また、外筒４１の上端部は開口しており、蓋体４７が着脱可能に装着されている。この蓋体４７は、その飛散や紛失、盗難を防ぐため、チェーンやワイヤ４７Ｌを介して外筒４１に接続するのが好ましい。
【００３３】
内筒４２は、外筒４１内に設けられ、下端部４２ｂが排水口４５に接続されている。図１，図２に示すように、この内筒４２は、上下方向に間隔を空けて複数の貫通孔４６が形成されている。各貫通孔４６は、例えば円形とされている。内筒４２の下端部４２ｂは、下方に向かうに従いその外径が漸次縮小するテーパ状とされ、排水口４５に対して密着し、止水性が保たれるようになっている。
この内筒４２は、その下端部４２ｂを排水口４５から上方に引き抜いて取り外すことができるようになっている。
【００３４】
また、内筒４２の上端部には、その内外を貫通する開口部４８Ａ，４８Ｂが形成されている。一方の第１開口部４８Ａは、内筒４２を持ち上げるときの取っ手として用いることができる大きさに形成されている。他方の第２開口部４８Ｂは、内筒４２を外筒４１に係止させるための係止孔として用いられる。
外筒４１の内周面の上部には、ビス等からなり、第２開口部４８Ｂに挿通させることで内筒４２を排水口４５から取り外した状態で係止する係止部４９が設けられている。
【００３５】
閉塞カバー４３は、内筒４２の外周面４２ｆに装着されている。この閉塞カバー４３は、周方向の一部が切り欠かれた断面Ｃ字状の筒状をなしている。このような閉塞カバー４３は、内筒４２の外周面４２ｆに対し、内筒４２の径方向に弾性変形可能とされている。これにより、閉塞カバー４３は、内筒４２の外周面４２ｆに密着して貫通孔４６を閉塞する状態と、内筒４２の外周面４２ｆから径方向外周側に弾性変形して拡径し、内筒４２に沿って上下方向にスライド移動可能な状態との間で切り替え可能とされている。そして、この閉塞カバー４３は、内筒４２に対する上下方向の装着位置に応じて複数の貫通孔４６を閉塞可能となっている。
【００３６】
また、閉塞カバー４３の外周部には、閉塞カバー４３の径方向外周側への変形を拘束する拘束バンド（拘束部材）５０が、上下方向に間隔を空けて複数（図２では２つ）設けられている。拘束バンド５０は、不図示のバックル部を備え、その周長を変更できるとともに、任意の周長で固定できるようになっている。このような拘束バンド５０により、閉塞カバー４３が内筒４２の外周面４２ｆに密着して貫通孔４６を閉塞し、内筒４２に沿う上下方向の移動が規制され固定された状態に維持することができる。
また、拘束バンド５０を緩めると、閉塞カバー４３を径方向外方に弾性変形させて拡径することができ、閉塞カバー４３の位置調整を容易に行うことができる。
【００３７】
次に、上記したような地下灌漑システム１０の利用方法について、図面に基づいて説明する。
【００３８】
（畑作の場合）
まず、畑作を行う場合、図１に示すように、用水マス２０において、側部排水口２４を止水栓２６で閉塞する。また、底部排水口２３において、ストレーナー２５を、開放端側の挿入部２５ａを底部排水口２３に挿入してセットする。
また、地下水位調整水閘４０においては、所望の地下水位に応じて閉塞カバー４３の高さを予め調整する。地下水位は、閉塞カバー４３の上方に露出している貫通孔４６の位置に応じて決まる。例えば、閉塞カバー４３で全ての貫通孔４６を閉塞した場合には、地下水位が内筒４２の上端部と同レベルとなる。
【００３９】
そして、用水マス２０の底部排水口２３から暗渠管１３に送り込まれた水は、暗渠管１３から地中に染み出し、灌漑を行うことができる。このとき、地下水位調整水閘４０の外筒４１内では、閉塞カバー４３の上方に露出した貫通孔４６から水が内筒４２内に流れ込む。閉塞カバー４３で全ての貫通孔４６を閉塞した場合、外筒４１内の水は、内筒４２の上端部から内筒４２内に流れ込む。
内筒４２内に流れ込んだ水は、内筒４２の下端部４２ｂから排水口４５、排水管１４を経て排水路２に排出される。これにより、地下水位は、地下水位調整水閘４０の外筒４１内の水位レベルと同じレベルとなる。
【００４０】
（フラッシングを行う場合）
また、地下灌漑システム１０では、使用しているうちに、暗渠管１３内に草や土砂等が流れ込む。そこで、適宜タイミングで、以下のようにフラッシングを実行するのが好ましい。
フラッシングを行うには、図３に示すように、地下水位調整水閘４０において、内筒４２を排水口４５から上方に引き抜く。このとき、内筒４２は、上端部の第１開口部４８Ａの部分を取っ手として掴むことで、容易に引き上げることができる。そして、排水口４５から引き抜いた内筒４２は、第２開口部４８Ｂを外筒４１の内周面に設けられた係止部４９に係止させる。これにより、排水口４５から引き抜いた内筒４２を、外筒４１内に収容したままの状態で外筒４１に係止させることができる。
フラッシングの終了後は、内筒４２を係止部４９から取り外し、下端部４２ｂを排水口４５に挿入する。
【００４１】
（稲作を行う場合）
さらに、稲作を行う場合には、図４に示すように、用水マス２０において、側部排水口２４から止水栓２６（図１）を取り外し、側部排水口２４を開放する。そして、側部排水口２４には、水供給管１５を接続する。
また、底部排水口２３において、ストレーナー２５を、閉塞端側の挿入部２５ｂを底部排水口２３に挿入してセットする。これにより、底部排水口２３が閉塞板２７により閉塞され、底部排水口２３からの排水が遮断される。
【００４２】
そうすると、用水路１から用水マス２０に送り込まれた水は、側部排水口２４を通り、水田３に送り込まれる。
【００４３】
上述したような構成によれば、地下水位調整水閘４０は、内筒４２に対する閉塞カバー４３の位置を上下方向に変更することで、複数の貫通孔４６を適宜閉塞して、地下水位を調整することができる。そして、閉塞カバー４３を上下方向に移動させるときには、閉塞カバー４３を弾性変形させて内筒４２の径方向外方に広げる。これによって、閉塞カバー４３と内筒４２の外周面４２ｆとの間の摩擦を最小限とすることができ、軽い力で閉塞カバー４３を移動できるようになる。そして、閉塞カバー４３は、その移動後に弾性により径方向内方に変形して元の形状に戻ることで外周面４２ｆに密着する。したがって、閉塞カバー４３の位置を確実に固定でき、水が漏れるのを防ぐことができる。
【００４４】
さらに、閉塞カバー４３の外周部に、閉塞カバー４３の径方向外周側への変形を拘束する拘束バンド５０をさらに備えるようにしたので、閉塞カバー４３を、内筒４２の外周面４２ｆに密着させて位置ズレを防ぎ、貫通孔４６を閉塞する状態に確実に維持することが可能となる。
また、閉塞カバー４３は、周方向の一部が切り欠かれた断面Ｃ字状の筒状をなしている。このように構成することで、閉塞カバー４３を、簡易な構成により、内筒４２の径方向に弾性変形可能とすることができる。
このようにして、地下水位調整水閘４０は、簡易な構成により、閉塞カバー４３の移動を容易に行いつつ、移動後の閉塞カバー４３の位置を確実に固定できるので、コスト増を抑えつつ、水位調整を容易かつ確実に行うことが可能となる。
【００４５】
また、地下水位調整水閘４０において、内筒４２は、排水口４５に対して着脱可能に接続されている。このように構成することで、暗渠管１３から流れ込む水を排水口４５にそのまま流すことができ、暗渠管１３のフラッシングを行うことが可能となる。
【００４６】
さらに、内筒４２の上端部に第２開口部４８Ｂが形成され、外筒４１の内周面に、内筒４２を係止する係止部４９が設けられている。このように構成することで、排水口４５から取り外した内筒４２の第２開口部４８Ｂを係止部４９に係止させて、内筒４２を外筒４１内に収容したままフラッシングを行うことができる。したがって、内筒４２を外筒４１の外に出して誤って破損させることを防ぐことができる。
【００４７】
また、用水マス２０は、稲作時には、底部排水口２３を閉塞することで、吸水口２２を通して外部からマス本体２１に取り込んだ水を、側部排水口２４から水供給管１５を通し、水田３に供給することができる。また、畑作時には、側部排水口２４を閉塞すれば、底部排水口２３から暗渠管１３を通し、地中に水を供給することができる。このようにして一つの用水マス２０で、稲作時と畑作時の双方に対して水を供給することが可能となる。
【００４８】
そして、用水マス２０は、ストレーナー２５の一方の挿入部２５ｂが閉塞端とされ、他方の挿入部２５ａが開放端とされているので、ストレーナー２５を上下に入れ替えるのみで、底部排水口２３の開放または閉塞を容易に切り替えることができる。
加えて、ストレーナー２５は、底部排水口２３から容易に取り外すことができるので、ストレーナー２５の清掃などを容易に行うことができる。
【００４９】
（その他の実施形態）
なお、本発明の地下水位調整水閘４０は、図面を参照して説明した上述の実施形態に限定されるものではなく、その技術的範囲において様々な変形例が考えられる。
例えば、内筒４２には、円形の貫通孔４６を形成するようにしたが、貫通孔４６は、矩形、多角形状、長円形状といった他の形状としてもよい。
さらに、例えば、図５（ａ）〜（ｃ）に示すように、貫通孔４６を上下方向に長い長円形状とし、複数の貫通孔４６を内筒４２の周方向に互い違いに千鳥状に設けてもよい。
【００５０】
また、例えば図６（ａ），（ｂ）、及び図７に示すように、閉塞カバー４３Ｂは、その位置を上下動させて地下水位調整を行うのではなく、内筒４２の周方向に回転させることによって、貫通孔４６を開閉するようにしてもよい。この場合、閉塞カバー４３Ｂは、それぞれの貫通孔４６に一つずつ独立して設ける。そして、閉塞カバー４３Ｂには、開口部５５が形成されている。この閉塞カバー４３Ｂを回転させ、開口部５５を貫通孔４６に連通させた状態で、貫通孔４６から水を内筒４２内に取り込むことができる。
本実施形態では、このような場合も、閉塞カバー４３Ｂは、断面Ｃ字状とし、その外周部を拘束バンド５０（図１参照）等を使用して拘束するものとする。
【００５１】
さらに、閉塞カバー４３Ｃは、ゴム製としてもよい。この場合、図８に示すように、閉塞カバー４３Ｃは筒状とする。また、図９に示すように、筒状の閉塞カバー４３Ｃの上下端部には、止水性を高めるために、その内周面に周方向に連続するシールリップ５６が突出形成されている。
このような閉塞カバー４３Ｃは、弾性変形させて内筒４２の径方向外方に広げることによって、閉塞カバー４３Ｃを上下方向に容易にスライド移動させることができる。そして、閉塞カバー４３Ｃの移動後は、閉塞カバー４３Ｃが自らの弾性により径方向内方に収縮変形して元の形状に戻ることで、閉塞カバー４３は外周面４２ｆに密着する。
【００５２】
また、本実施形態では、用水マス２０として、上下に反転することによって水の供給先を切り替えるストレーナー２５を備えることで、畑作と稲作とで兼用できるようにしたが、これに限らない。
例えば、畑作専用とする場合、図１０に示すように、用水マス２０は、吸水口２２と底部排水口２３とを少なくとも備え、底部排水口２３には、閉塞端を有さない筒状のストレーナー２５Ａを装着する。
【００５３】
また、本実施形態では、止水栓２６が側部排水口２４の水田側開口部を閉塞するよう設けられているが、側部排水口２４の用水マス２０側開口部を閉塞するよう設けても良い。こうすることで、水田への水供給管１５を常に側部排水口２４に設置しておくことができる。
【００５４】
これ以外にも、本発明の主旨を逸脱しない限り、上記実施の形態で挙げた構成を取捨選択したり、他の構成に適宜変更したりすることが可能である。
【符号の説明】
【００５５】
１０  地下灌漑システム
１３  暗渠管
１４  排水管
４０  地下水位調整水閘
４１  外筒
４２  内筒
４２ｆ  外周面
４３、４３Ｂ、４３Ｃ  閉塞カバー
４４  導入口
４５  排水口
４６  貫通孔
４８Ａ，４８Ｂ  開口部
４９  係止部
５０  拘束バンド（拘束部材）
【図１】
2015196954.tif 000003
【図２】
2015196954.tif 000004
【図３】
2015196954.tif 000005
【図４】
2015196954.tif 000006
【図５】
2015196954.tif 000007
【図６】
2015196954.tif 000008
【図７】
2015196954.tif 000009
【図８】
2015196954.tif 000010
【図９】
2015196954.tif 000011
【図１０】
2015196954.tif 000012